(57)【要約】【課題】波や潮流等による外力が作用する水上においても安定した状態に測量機材を設置することができる水上測量台の提供。【解決手段】水底部Ａに立設された筒状の緩衝用外管１３と、緩衝用外管１３内にあって上部が水面上に突出するように水底地盤に打ち込まれた内杭１４と、測量用機材４を設置するための測量用機材設置台座１２とを備え、緩衝用外管１３と内杭１４との間に間隙１５が設けられ、且つ、測量用機材設置台座１２が内杭１４の上端に緩衝用外管１３より独立した状態に固定され、外力が緩衝用外管１３で吸収され、内杭１４の上端に固定された測量用機材設置台座１２の変位が抑止されるようにした。【選択図】図１
2015099069.tif 000002
【特許請求の範囲】
【請求項１】
測量用機材を水上に設置するための水上測量台において、
水底部に立設された筒状の緩衝用外管と、該緩衝用外管内にあって上部が水面上に突出するように水底地盤に打ち込まれた内杭と、前記測量用機材を設置するための測量用機材設置台座とを備え、
前記緩衝用外管と前記内杭との間に間隙が設けられ、且つ、前記測量用機材設置台座が前記内杭の上端に前記緩衝用外管より独立した状態に固定され、
外力が前記緩衝用外管で吸収され、前記内杭の上端に固定された測量用機材設置台座の変位が抑止されるようにしたことを特徴としてなる水上測量台。
【請求項２】
前記緩衝用外管の上端に前記内杭より独立した状態に作業足場が固定された請求項１に記載の水上測量台。
【請求項３】
前記緩衝用外管が水底地盤に打ち込まれてなる請求項1又は２に記載の水上測量台。
【請求項４】
前記間隙内の水を排出する排水手段を備え、前記間隙部をドライ状態とした請求項１〜３の何れか１項に記載の水上測量台。
【発明の詳細な説明】
【技術分野】
【０００１】
本発明は、海洋工事に際し、その測量作業に用いられる測量用機材を水上に設置するための水上測量台に関する。
【背景技術】
【０００２】
従来、杭打ち船による鋼管杭の海上打設等の海洋工事においては、海上又は陸上にセオドライト等の測量用機材を設置し、打設する杭等の対象物を視準することにより、その対象物の位置の測量が行われている。
【０００３】
その際、海上にセオドライト等の測量用機材を設置するには、上部が水面上に突出するように水底部に設置される測量台が用いられ、この測量台の水上に突出した部分に作業足場を設け、その作業足場上にセオドライト等の測量用機材を設置する（例えば、特許文献１を参照）。
【０００４】
この測量台としては、特許文献１に記載された水底部に櫓状の支持基部が載置される移動式の測量台の他、例えば、図６に示す如き固定式測量台等が使用されている。
【０００５】
この固定式測量台は、水底部Ａに埋め込まれて上端が水面Ｂ上に突出するように水底部Ａに立設された複数のＨ型鋼杭等の杭材１，１...からなる櫓状の支持基部２を備え、その支持基部２を下端が水底部Ａに根入れされた斜杭３，３...で補強し、その支持基部２の上端にセオドライト等の測量用機材４を設置する作業用台座５を固定している。
【先行技術文献】
【特許文献】
【０００６】
【特許文献１】特開平０６−３４６４６１号公報
【発明の概要】
【発明が解決しようとする課題】
【０００７】
しかしながら、上述の従来の移動式及び固定式の水上測量台では、水中に設置された支持基部に波や潮流等による外力が作用するため、支持基部が当該波や潮流等による外力を受けて揺動し、それに伴い支持基部上に設置されたセオドライト等の測量用機材の位置も不安定となることから測量精度の低下を招く虞があった。
【０００８】
また、従来の固定式水上測量台は、複数の杭材及び斜杭を水底部に打設して櫓状の支持基部を構築し、その上端にセオドライト等の測量用機材を設置する作業足場を据え付ける為、作業が煩雑であり設置作業に多大な時間と労力とを必要としていた。
【０００９】
本発明は、このような従来の問題に鑑み、波や潮流等による外力が作用する水上においても安定した状態に測量機材を設置することができる水上測量台の提供を目的としてなされたものである。
【課題を解決するための手段】
【００１０】
上述の如き従来の問題を解決するための請求項1に記載の発明の特徴は、測量用機材を水上に設置するための水上測量台において、水底部に立設された筒状の緩衝用外管と、該緩衝用外管内にあって上部が水面上に突出するように水底地盤に打ち込まれた内杭と、前記測量用機材を設置するための測量用機材設置台座とを備え、前記緩衝用外管と前記内杭との間に間隙が設けられ、且つ、前記測量用機材設置台座が前記内杭の上端に前記緩衝用外管より独立した状態に固定され、外力が前記緩衝用外管で吸収され、前記内杭の上端に固定された測量用機材設置台座の変位が抑止されるようにした水上測量台にある。
【００１１】
請求項２に記載の発明の特徴は、請求項１の構成に加え、前記緩衝用外管の上端に前記内杭より独立した状態に作業足場が固定されたことにある。
【００１２】
請求項３に記載の発明の特徴は、請求項１又は２の構成に加え、前記緩衝用外管が水底地盤に打ち込まれてなることにある。
【００１３】
請求項４に記載の発明の特徴は、請求項１〜３の何れか１項の構成に加え、前記間隙内の水を排出する排水手段を備え、前記間隙部をドライ状態としたことにある。
【発明の効果】
【００１４】
本発明に係る水上測量台は、上述したように、測量用機材を水上に設置するための水上測量台において、水底部に立設された筒状の緩衝用外管と、該緩衝用外管内にあって上部が水面上に突出するように水底地盤に打ち込まれた内杭と、前記測量用機材を設置するための測量用機材設置台座とを備え、前記緩衝用外管と前記内杭との間に間隙が設けられ、且つ、前記測量用機材設置台座が前記内杭の上端に前記緩衝用外管より独立した状態に固定され、外力が前記緩衝用外管で吸収され、前記内杭の上端に固定された測量用機材設置台座の変位が抑止されるようにしたことにより、波や潮流等による外力が作用する場所に設置された場合であっても、外力を緩衝用外管で吸収することで内杭を安定した状態に維持し、内杭上端に支持された測量用機材設置台座の変位が抑止されるので、セオドライト等の測量用機材が安定し、高い測量精度を得ることができる。
【００１５】
また、本発明において、前記緩衝用外管の上端に前記内杭より独立した状態に作業足場が固定されたことにより、重量の嵩む作業足場を内杭より独立させたので、内杭に作用する曲げモーメントが軽減され、内杭がより揺動し難くなり、セオドライト等の測量用機材の安定性が向上する。
【００１６】
更にまた、本発明において、前記緩衝用外管が水底地盤に打ち込まれてなることにより、緩衝用外管が安定した状態で水底部に立設され、外力に対する高い緩衝効果を得ることができる。
【００１７】
更にまた、本発明において、前記間隙内の水を排出する排水手段を備え、前記間隙部をドライ状態としたことにより、緩衝用外管に作用する外力を内杭に伝達する伝達媒体となり得る海水等を間隙内より排除することができ、緩衝効果が向上する。
【図面の簡単な説明】
【００１８】
【図１】本発明に係る水上測量台の一例の概略を示す縦断面図である。
【図２】（ａ）は同上の拡大平面図、（ｂ）は同拡大ａ−ａ線断面図である。
【図３】同上の水上測量台に外力が作用した状態における縦断面図である。
【図４】同上の水上測量台の状態を説明するための拡大ａ−ａ線断面図であって（ａ）は外力が作用していない状態、（ｂ）は同外力が作用した状態である。
【図５】本発明に係る水上測量台の他の一例の概略を示す縦断面図である。
【図６】従来の水上測量台の一例を示す概略正面図である。
【発明を実施するための形態】
【００１９】
次に、本発明に係る水上測量台の実施態様を図１〜図４に示した実施例に基づいて説明する。尚、上述の従来例と同様の構成には同一符号を付して説明し、図中符号Ａは水底部、符号Ｂは水面、符号４はセオドライト等の測量用機材である。また、符号１０は本発明に係る測量用機材を水上に設置するための水上測量台である。
【００２０】
水上測量台１０は、上部が所望の突出高さで水面上に突出するように水底部Ａに立設された筒状の緩衝用外管１３と、緩衝用外管１３内にあって上部が水面上に所望の突出高さで突出するように水底地盤に打ち込まれた内杭１４と、内杭１４の上端に固定された測量用機材設置台座１２とを備え、測量用機材設置用台座１２上にセオドライト等の測量用機材４が設置されるようになっている。
【００２１】
尚、所望の突出高さは、上端が図中一点鎖線で示す満潮時等の最高水位における水面Ｂ１よりも高い位置となるように設定されている。
【００２２】
また、この水上測量台１０は、緩衝用外管１３と内杭１４との間に間隙１５が設けられ、水底部Ａに立設された緩衝用外管１３と水底地盤に打ち込まれた内杭１４とが互いに独立した状態の二重管状構造を成し、測量用機材設置台座１２が内杭１４の上端に緩衝用外管１３より独立した状態に固定されている。
【００２３】
緩衝用外管１３は、円筒状の鋼管により構成され、管軸方向を鉛直に向けて所望の根入れ深さＨ１で下部が水底地盤に打ち込まれ、上部が所望の突出高さで水面Ｂ上に突出するように水底部Ａに立設されている。
【００２４】
また、緩衝用外管１３の水底地盤に打ち込まれた部分（以下、外管根入れ部という）１３ａには、打設に伴い内部に水底土砂が入り込み、この外管根入れ部１３ａ内の水底地盤に内杭１４が打ち込まれるようになっている。
【００２５】
この緩衝用外管１３の上端部には、図１及び図２（ａ）に示すように、作業足場１６が内杭１４より独立した状態に固定され、この作業足場１６上で作業員が測量作業を行えるようになっている。
【００２６】
作業足場１６は、緩衝用外管１３の上端外側面に一端が固定され、外向きに突設された複数の支持梁材１７，１７...と、各支持梁材１７，１７の他端に支持された矩形枠状の枠材１８とを備え、支持梁材１７，１７...及び枠材１８上に床板材１９が支持され、この床板材１９が作業足場１６の床面を形成している。また、この作業足場１６には、外周部に防護柵２０が立設され、作業員の落下を防止している。
【００２７】
床板材１９は、鉄板等により形成され、その中央に板厚方向に貫通した丸孔状の挿通孔２１が形成され、この挿通孔２１は、その直径が緩衝用外管１３の内径に整合し、内杭１４の外径よりも十分大きく形成され、床板材１９、即ち作業足場１６が内杭１４より独立した状態にあって内杭１４と作業足場１６とが互いに干渉しないようにしている。
【００２８】
尚、図中符号２２は、出入口用孔であって、この出入口用孔２２を通して作業員は梯子２３を上って作業足場１６の床面上に移動できるようになっている。
【００２９】
内杭１４は、外径が緩衝用外管１３の内径よりも小さな円筒状の鋼管により構成され、管軸方向を鉛直に向けて所望の根入れ深さＨ２で外管根入れ部１３ａ内の水底地盤に緩衝用外管１３と同軸心配置に打ち込まれている。
【００３０】
内杭１４の水底地盤に対する根入れ深さＨ２は、緩衝用外管１３の根入れ深さＨ１より浅くしている。
【００３１】
そして、この内杭１４は、上部が所望の突出高さで水面Ｂ上に突出するように水底地盤に打ち込まれ、その上端に平板台状の測量用機材設置用台座１２が緩衝用外管１３より独立した状態に固定されている。
【００３２】
測量用機材設置用台座１２は、平板状の鉄板等により構成され、内杭１４が打ち込まれた状態において略水平にレベル合わせされた状態となるように内杭１４上端に溶接等で強固に固定され、セオドライト等の測量用機材４が安定して載置できるようになっている。
【００３３】
また、この水上測量台１０には、図示しないポンプ装置等からなる排水手段を備え、この排水手段により間隙１５内の水を排出することにより、水底面より突出した部分の間隙１５部をドライな状態に維持することができるようになっている。
【００３４】
このように構成された水上測量台１０は、緩衝用外管１３と内杭１４とが二重管状構造を成しているので、図３及び図４（ｂ）に示すように、波や潮流等による外力は緩衝用外管１３のみに作用し、緩衝用外管１３は、外管根入れ部１３ａを介して水底部Ａに支持されて揺動することによりその外力を吸収する。
【００３５】
一方、内杭１４は、外周が緩衝用外管１３に覆われているので波や潮流等による外力の影響を受けず、更に外力を緩衝用外管１３が吸収するので、安定した状態に維持され、その内杭１４の上端に支持された測量用機材４設置台座部の変位が抑止され、セオドライト等の測量用機材４を安定した状態に維持することができる。
【００３６】
また、内杭１４は、緩衝用外管１３で波や潮流等による外力が吸収されるので、根入れ深さＨ２を緩衝用外管１３の根入れ深さＨ１より浅くでき、その分打設が容易になるので、設置作業を効率よく行える。
【００３７】
更に、この水上測量台１０では、重量の嵩む作業足場１６を緩衝用外管１３の上端に内杭１４より独立した状態に支持させたことにより、内杭１４に作用する曲げモーメントを小さくでき、その内杭１４の上端に支持された測量用機材設置台座１２の安定性を高めている。
【００３８】
更にまた、この水上測量台１０では、排水手段により間隙１５内の水を排出し、間隙１５部をドライな状態に維持することにより、緩衝用外管１３に作用する外力を内杭１４に伝達する媒体となり得る海水等を緩衝用外管１３と内杭１４との間に介在させずに、緩衝用外管１３のみに外力を吸収させることができ、高い緩衝効果を得ることができる。
【００３９】
尚、上述の実施例においては、内杭１４の根入れ深さＨ２を緩衝用外管１３の根入れ深さＨ１より浅くした例について説明したが、両根入れ深さＨ１，Ｈ２を同じにしてもよく、内杭１４の根入れ深さＨ２を緩衝用外管１３の根入れ深さＨ１より深くしてもよい。
【００４０】
また、上述の実施例では、緩衝用外管１３を水底地盤に打ち込んだ例について説明したが、緩衝用外管１３は、図５に示すように、水底地盤に打ち込まずに下端を水底面に支持させて水底部Ａに立設されたものであってもよい。
【００４１】
その場合、緩衝用外管１３には、下端縁に固定されたフランジ等からなる安定構造部３０を備え、緩衝用外管１３に作用する曲げモーメント等に対抗できるようにしてもよい。
【００４２】
尚、安定構造部３０の態様は、図示したフランジ状に限定されず、例えば、下方に向けて拡開したスカート状の部材を緩衝用外管１３の下端部に固定した構造等、緩衝用外管１３に作用する曲げモーメント等に対抗できるあらゆる構造を含むものとする。
【００４３】
また、上述の実施例においては、内杭１４を鋼管からなる筒状に構成した例について説明したが、内杭１４の態様はこれに限定されず、その他の杭状、柱状に形成されたものであってもよい。
【００４４】
更にまた、上述の実施例では、測量用機材設置台座１２を１本の内杭１４で支える構造としたものについて説明したが、測量用機材設置台座１２を複数本の内杭で支えるようにしてもよく、その場合、一の緩衝用外管内に複数本の内杭を打ち込むようにしてもよく、各緩衝用外管内に一の内杭を打ち込むようにしてもよい。
【００４５】
また、上述の実施例においては、水上測量台１０に排水手段を備え、排水手段により間隙１５内の水を排出し、間隙１５内をドライ状態とした例について説明したが、排水を行わず、間隙１５内に海水等の水が充填された状態であってもよい。
【００４６】
さらに、上述の実施例では、測量用機材４としてセオドライトを挙げたが、測量用機材４はこれに限定されず、測量用機材４には、測量、位置計測に際し変位の抑止が望まれる機器、機材の全てを含むものとし、例えば、光波ミラーやＧＰＳアンテナ等であってもよい。
【符号の説明】
【００４７】
Ａ  水底部
Ｂ  水面
Ｂ１  水面（最高水位時）
４  測量用機材
１０  水上測量台
１２  測量用機材設置用台座
１３  緩衝用外管
１４  内杭
１５  間隙
１６  作業足場
１７  支持梁材
１８  枠材
１９  床板材
２０  防護柵
２１  挿通孔
２２  入口用孔
２３  梯子
【図１】
2015099069.tif 000003
【図２】
2015099069.tif 000004
【図３】
2015099069.tif 000005
【図４】
2015099069.tif 000006
【図５】
2015099069.tif 000007
【図６】
2015099069.tif 000008